(57)【要約】【課題】長尺のアームのどこかを押せば錠止の解除が必ず行なえるため、操作性に優れている固定型ステーを提供する。【解決手段】長尺のアーム１の一方端より形成した溝孔２の一方端に錠止孔３を形成し、アーム１の他方端に軸孔４を形成し、ウィング体６に固着される第１ブラケット７に第１枢軸８を連結し、前記錠止孔３に移動不能に嵌合される大径軸部９と前記溝孔２に移動可能に嵌合される小径軸部１０を第１枢軸８に形成し、第１ブラケット７とアーム１の間において第１枢軸８に嵌めたバネ部材１２によってアーム１を上方に押し上げ付勢し、アーム１の他方端に軸孔１３を形成し、該軸孔１３を通る第２枢軸１４によってアーム１を第２ブラケット１５に枢着し、第２ブラケット１５を固定枠体５に固着し、ウィング体６の開放位置において第１枢軸８の大径軸部９をアーム１の錠止孔３に係合させる。【選択図】図２
2007009603.tif 000002
【特許請求の範囲】
【請求項１】
長尺のアーム１の一方端から所要長さにわたって溝孔２を上下に貫通して形成し、該溝孔２の一方端に直径が溝孔２の幅員よりも大きい錠止孔３を上下に貫通して形成し、アーム１の他方端に軸孔４を上下に貫通して形成し、固定枠体５又はウィング体６の一方に固着される第１ブラケット７に第１枢軸８を直立させて連結し、前記錠止孔３に移動不能に嵌合される大径軸部９と前記溝孔２に移動可能に嵌合される小径軸部１０を第１枢軸８に上下に形成し、錠止孔３からの第１枢軸８の脱出を阻止する抜止め部１１を大径軸部９の上側に形成し、第１ブラケット７とアーム１の間において第１枢軸８に嵌めたバネ部材１２によってアーム１を上方に押し上げ付勢し、前記軸孔４を通る第２枢軸１４によってアーム１を第２ブラケット１５に枢着し、第２ブラケット１５を固定枠体５又はウィング体６の他方に固着し、ウィング体６の開放位置において第１枢軸８の大径軸部９をアーム１の錠止孔３に係合させるようにした固定型ステー。
【発明の詳細な説明】
【技術分野】
【０００１】
本発明は、扉や蓋などのウィング体を所定の開放状態において建物本体やボックス本体などの固定枠体に対して固定保持できる固定型ステーに関するものである。
【背景技術】
【０００２】
固定型ステーとしては、サポート筒の側壁部に直径方向に貫通して案内孔を設け、該案内孔にアームを摺動自在に嵌め込み、該アームの先端部に第１ブラケットを第１枢軸によって連結し、前記サポート筒の基端部に第２ブラケットを第２枢軸によって連結し、前記アームの後側においてロック盤を前記サポート筒に摺動自在に嵌め込み、サポート筒の底壁部と前記ロック盤の間に収納した圧縮コイルバネによって前記ロック盤を前方に摺動付勢し、前記ロック盤の前面に設けた停止突起が係脱する錠止凹部を前記アームの後側腹面に設け、前記アームの前側において操作ボタンを前記サポート筒に嵌め込み、前記アームに跨がる前記操作ボタンの脚部を前記ロック盤の前面に当接させ、前記サポート筒の先端部に固着したキャップの透孔から前記操作ボタンの押圧部を突出させたものが知られている（特許文献１参照）。
【０００３】
この固定型ステーでは、第１ブラケットをウィング体に固着する一方、第２ブラケットを固定枠体に固着した使用形態において、ウィング体が蝶番軸を中心に開放回転すると、前記アームが第１枢軸を中心にウィング体に対して回転する一方、前記サポート筒が第２枢軸を中心に固定枠体に対して回転し、前記アームが前記サポート筒の横断方向に移動する。
【０００４】
この回転動作中、前記ロック盤の停止突起の上端面は前記アームの腹面に摺接しており、ウィング体が所定角度まで回転したとき、前記圧縮コイルバネの付勢によってロック盤の前記停止突起がアームの前記錠止凹部に自動的に係合し、当該係合が的確に維持される。そのため、ウィング体は所定の開放位置に固定保持される。
【０００５】
ウィング体を閉鎖するには、前記操作ボタンの前記押圧部を押し、前記ロック盤を操作ボタンの前記脚部で押し下げることによって、ロック盤の前記停止突起をアームの前記錠止凹部から離脱させる。この後、ウィング体が前記蝶番軸を中心に閉鎖回転すると、前記と同様に前記アームが第１枢軸４中心にウィング体に対して回転する一方、前記サポート筒が第２枢軸を中心に固定枠体に対して回転し、アームがサポート筒の横断方向に移動する。
【０００６】
ウィング体が若干回転して、ロック盤の前記停止突起がアームの前記錠止凹部に対面しない位置まで移動した段階で、操作ボタンの前記押圧部から指が離される。それ以降の回転動作中、前記停止突起はアームの腹面に摺接し、ウィング体が全閉される。
【０００７】
しかしながらこの固定型ステーでは、ウィング体の錠止を解除するには特定の一箇所に存在する操作ボタンの押圧部を押さなければならないのであるが、胸に荷物を抱えるなどして足元の視界が限定されているときには、操作ボタンの位置を探しづらく、解除操作に手間取ることが多い。
【０００８】
【特許文献１】実公平６−４０８１５号公報
【発明の開示】
【発明が解決しようとする課題】
【０００９】
本発明の課題は、特定された一箇所の操作ボタンを押すのではなく、長尺のアームのどこかを押せば錠止の解除が必ず行なえるため、操作性に優れている固定型ステーを提供することである。
【課題を解決するための手段】
【００１０】
本発明の固定型ステーは、長尺のアーム１の一方端から所要長さにわたって溝孔２を上下に貫通して形成し、該溝孔２の一方端に直径が溝孔２の幅員よりも大きい錠止孔３を上下に貫通して形成し、アーム１の他方端に軸孔４を上下に貫通して形成し、固定枠体５又はウィング体６の一方に固着される第１ブラケット７に第１枢軸８を直立させて連結し、前記錠止孔３に移動不能に嵌合される大径軸部９と前記溝孔２に移動可能に嵌合される小径軸部１０を第１枢軸８に上下に形成し、錠止孔３からの第１枢軸８の脱出を阻止する抜止め部１１を大径軸部９の上側に形成し、第１ブラケット７とアーム１の間において第１枢軸８に嵌めたバネ部材１２によってアーム１を上方に押し上げ付勢し、前記軸孔４を通る第２枢軸１３によってアーム１を第２ブラケット１４に枢着し、第２ブラケット１４を固定枠体５又はウィング体６の他方に固着し、ウィング体６の開放位置において第１枢軸８の大径軸部９をアーム１の錠止孔３に係合させるようにしたものである。
【発明の効果】
【００１１】
本発明の固定型ステーでは、足の爪先や靴先で長尺のアーム１のどこかを押し、バネ部材１２の押し上げ付勢に抗してアーム１の一方端側を押し下げることによって、第１枢軸８の大径軸部９とアーム１の錠止孔３との係合が解除され、第１枢軸８の小径軸部１０がアーム１の溝孔２の入口部に対面した位置に来るため、胸元に荷物を抱えるなどして足元の視界が狭い状態であっても、第１ブラケット７に対するアーム１の錠止の解除を必ずおこなうことができ、操作性が格段に向上する。
【実施例】
【００１２】
図１から図３に示した実施例では、金属板材よりなる断面Ｕ字型のアーム１のウェブ片部１５には、全長の約三分の一の長さにわたって溝孔２が幅員中央部に長さ方向に形成されている。金属板材よりなる断面Ｌ字型の第２ブラケット１４は、垂直翼片部１６の取付孔１７を通るビス等の固着具によって固定枠体５側に固着される。金属材料よりなる第２枢軸１３が通される軸孔１９は、第２ブラケット１４の水平翼片部１８に形成されており、アーム１の軸孔４と第２ブラケット１５の軸孔１９に通された第２枢軸１３は、スペーサー２０を介してアーム１が多少上下方向に揺動できるように下端部を加締め固定されている。
【００１３】
金属板材よりなる第１ブラケット７は、中間隆起部２１に軸孔２２が形成され、金属材料よりなる第１枢軸８の下端部は、該軸孔２２に通されて加締め固定されている。第１枢軸８には金属製ガイド筒２３と金属製バネ受け筒２４が嵌合されている。バネ部材１２としては圧縮コイルバネが使用されており、バネ部材１２の下端部はガイド筒２３の外側に嵌められ、バネ部材１２の上端部はバネ受け筒２４の底壁２５を押圧し、バネ受け筒２４はアーム１の下面に当接している。第１ブラケット７は両側平坦部２６の取付孔２７を通るビス等の固着具によってウィング体６に固着される。
【００１４】
上記使用形態において、ウィング体６が閉鎖位置にあるときには、第１枢軸８の小径軸部１０がアーム１の溝孔２の所定部位に係合している。
ウィング体６が蝶番軸２８を中心にして開放回転すると、第１枢軸８に牽引されたアーム１が第２枢軸１３を中心に固定枠体５に対して回転し、この回転に追随して第１枢軸８の小径軸部１０が溝孔２内を錠止孔３に向かって移動する。
このとき、バネ部材１２は最大限に圧縮変形されられており、第１枢軸８の大径軸部９はアーム１の上面側に突出し、大径軸部９と小径軸部１０の段差肩部が溝孔２の縁部上面に当接している。
【００１５】
ウィング体６が所定角度まで開放回転し、第１枢軸８の小径軸部１０がアーム１の錠止孔３に進入したとき、アーム１はバネ部材１２の付勢によって押し上げられ、第１枢軸８の大径軸部９がアーム１の錠止孔３に係合する。これによって、アーム１は第１ブラケット７に対して位置を固定され、ウィング体６は当該開放位置に固定保持される。
【００１６】
ウィング体６を閉鎖回転するには、長尺のアーム１の上面のどこか１箇所を足の爪先または靴先で押し、アーム１をバネ部材１２の付勢に抗して押し下げれば良い。この押し下げ操作によって、第１枢軸８の大径軸部９とアーム１の錠止孔３との係合が解除され、第１枢軸８の小径軸部１０が溝孔２の入口部に対面する位置に来る。
この後、ウィング体６が蝶番軸２８を中心に閉鎖回転すると、アーム１が第２枢軸１３を中心に固定枠体５に対して回転する一方、第１枢軸８の小径軸部１０がアーム１の溝孔２内をアーム２の他方端に向かって移動する。
【００１７】
図４に示した別の実施例のようにアーム１の溝孔２の途中にも１個または複数個の錠止孔３を設けたときには、第１枢軸８の大径軸部９が係合する錠止孔３を適当に選択することによって、ウィング体６は開放角度が相違する複数の開放位置において固定保持される。
【００１８】
ウィング体６の開放角度は、アーム１の長さ、錠止孔３の形成位置、第１枢軸８の設定位置、第２枢軸１３の設定位置等を変更することによって適宜変更することができる。
【図面の簡単な説明】
【００１９】
【図１】本発明の一実施例に係る固定型ステーの平面図である。
【図２】図１の固定型ステーの左側面図であり、第１軸ピンの部分を切欠断面図で示している。
【図３】図１の固定型ステーの使用状態を示す平面図である。
【図４】本発明の別の実施例における使用状態を示す平面図である。
【符号の説明】
【００２０】
１  アーム
２  溝孔
３  錠止孔
４  アームの軸孔
５  固定枠体
６  ウィング体
７  第１ブラケット
８  第１枢軸
９  第１枢軸の大径軸部
１０  第１枢軸の小径軸部
１１  第１枢軸の抜止め部
１２  バネ部材
１３  第２枢軸
１４  第２ブラケット
１５  アームのウェブ片部
１６  第２ブラケットの垂直翼片部
１７  垂直片部の取付孔
１８  第２ブラケットの水平片部
１９  水平片部の軸孔
２０  スペーサー
２１  第１ブラケットの中間隆起部
２２  中間隆起部の軸孔
２３  ガイド筒
２４  バネ受け筒
２５  バネ受け筒の底壁
２６  第１ブラケットの両側平坦部
２７  両側平坦部の取付孔
２８  蝶番軸
【図１】
2007009603.tif 000003
【図２】
2007009603.tif 000004
【図３】
2007009603.tif 000005
【図４】
2007009603.tif 000006